(57)【要約】      （修正有）【課題】湯面の湯垢取器により、清潔な入浴をし、取扱いが簡単で、故障のない装置の提供する。【解決手段】防水の為シロッコファン３を設けて、シヤフト部４の水を排除してモーター５に対する浸水を防止し、更にフロートスイッチにして、故隙をなくし取扱いが簡単である様にした。【選択図】図２
2010075653.tif 000002
【特許請求の範囲】
【請求項１】
スクリュー用モーターのシヤフト部分からの水浸入を防止を防止する為、スクリューと一体となった水放出ファンを設け、水のシヤフト部分からの浸入を防止する装置。
【請求項２】
本体の下部に、穴のあいた筒を設け、その内部に浮力のある筒又は球を内蔵し、本体を浴槽内に入れた時、その浮力体が、水が浸入した時点で浮力体が浮き、その浮力圧で接点が接触し、通電する装置。
【発明の詳細な説明】
【図面の簡単な説明】図１は本発明の浴槽内浮遊湯垢取器の上面図である。図２は本発明の浴槽内浮遊垢取器の断面図である。説明は前回出題の特願２００８−１７２７９２による。図３はスクリューの上面図である。図４は吸込スクリューと一体になっている小型のシロッコファンが、モーターにより回転する図である。
図５はフロートスヰッチの外観図で、内部に浮力のある浮子が内蔵されている。
図６はフロートスヰッチの断面図でスヰッチとフロートの関係を示す。
【符号の説明】
１．スクリュー羽根
２．モーターシヤフトの穴
３．スクリューと一体化したシロッコファン
４．シヤフト
５．モーター
６．モーター密封ケース
７．電池室
８．フロートスヰッチのケース
９．水出入口
１０．電池
１１．電池用接点
１２．バネ式接点
１３．浮子
【発明の詳細なる説明】
【技術分野】
【０００１】本発明は、モーター部の、防水はケースに入れる事により可能であるが、シヤフトの部分は、水の浸入を防止することは困難である。この事からシヤフトの周囲の水を、なくする為シロックファンで、空間を設けモーターに水が浸入しない様にする。
フロートスヰッチは、スヰッチのＯＮ、ＯＦＦ操作をする必要とせず、本体を湯槽から上げる事により浮子の圧力により、スプリング接点を離しＯＦＦに出来る。
【背景技術】
【０００２】従来は動力部分を水面上に設置し、シヤフト等を長くして、回転スクリューを伝達していた【０００３】
2010075653.tif 000003
ッチを必要としていた。
【課題を解決する為の手段】
【０００４】吸水用スクリューの動力をモーターにした場合、シヤフトの処の防水は非常に困難である。故にシヤフトが、水と接しない様に、その部分にシロッコファンを設けて吸水スクリューと同速度で回転し、シロッコファンによりその部分の水を排除し、モーター本体とシヤフトの間の隙間から水が浸入しない様にした装置である。
【０００５】一般的なスヰッチを設けた場合、水中機器である為、防水も困難であり又破損もし易い。
又手動で行う為切忘れもあり電池を消粍する。
このフロートスヰッチは固定接点と、スプリング可動接であり、その接点を浮子で作動させる為、構造も非常簡単で故障も先づ考えられない。
【発明の効果】
本発明により以下の効果を奏することが出来る。
【０００６】全体的な効果は前回出願した特願２００８−１７２７９２による。
【０００７】モーターシヤフトに直結するスクリューとの間には、微少なりとも隙間があり、水が浸入する。その為にシロッコファンを設けて、シヤフトの出口の部分の水を排除することにより浸水することを防止出来る。
【０００８】フロートスヰッチは、必要ない時は、浴槽から取上げる事により自動的に停止する。
又特に追炊き式の場合は、残った垢が、浴槽の周囲及び釜の中に、多くの垢等が付着し、その掃除が又大変である。故に入浴后湯を落す時に、本体をそのまゝ浮かしておけば、排水し終えると、浮子は軽いので、スプリング接点が離れ、自動的に停止する。
その作動で、常に清けつた湯に這入る事が出来又、追炊き用の釜の内部が汚損することがなくなる。
【図１】
2010075653.tif 000004
【図２】
2010075653.tif 000005
【図３】
2010075653.tif 000006
【図４】
2010075653.tif 000007
【図５】
2010075653.tif 000008
【図６】
2010075653.tif 000009
【手続補正書】
【提出日】平成21年1月6日(2009.1.6)
【手続補正１】
【補正対象書類名】明細書
【補正対象項目名】全文
【補正方法】変更
【補正の内容】
【発明の詳細な説明】
【発明の詳細な説明】
【技術分野】
【０００１】本発明は、モーター部の、防水はケースに入れる事により可能であるが、シャフトの部分は、水の浸入防止することは困難である。この事からシャフトの周囲の水を、なくす為シロックファンで、空間を設けモーターに水が浸入しない様にする。
フロートスヰッチは、スヰッチのＯＮ、ＯＦＦ操作を必要とせず、本体を湯槽から上げる事により浮子の圧力により、スプリング接点を離しＯＦＦに出来る。
【背景技術】
【０００２】従来の動力部分を水面上に設置し、シャフトを長くして、回転スクリューを伝達していた。【０００３】電気を動力源にした場合ＯＮ、ＯＦＦ操作をするスヰッチを必要としていた。
【課題を解決する為の手段】
【０００４】吸水用スクリューの動力をモーターにした場合、シャフトの処の防水は非常に困難である。故にシャフトが、水と接しない様、その部分にシロックコファンを設けて吸水スクリューと同速度で回転し、シロックコファンによりその部分の水を排除し、モーター本体とシャフトの間の隙間から水が浸入しない様にした装置である。
【０００５】一般的なスヰッチを設けた場合、水中機器である為、防水も困難であり又破損もし易い。
又手動で行う為切忘れもあり、電池を消耗する。このフロートスヰッチは固定接点と、スプリング可動接点を浮子で作動させる為、構造も非常に簡単で故障も先づ考えられない。
【発明の効果】
【０００６】本発明により以下の効果を奏することが出来る。
【０００７】全体的な効果は、前回出願した特願２００８−１７２７９２による。
【０００８】モーターシャフトに直結するスクリューとの間には、微なりとも隙間があり水が浸入する。その為にシロッコファンを設けて、シャフトの出口の部分の水を排除することにより浸水することを防止出来る。
【０００９】フロートスヰッチは浴槽から取上げることにより自動的に停止する。
又特に追炊き式の場合は、残った垢が、浴槽の周囲及釜の中に、多くの垢等が付着し、その掃除が又大変である。故に入浴后湯を落す時に、本体をそのまゝ浮しておけば、排水し終え
2010075653.tif 000010
に停止する。
その作動で、常に清けつな湯に這入い事が出来、又追炊き用の釜の内部が汚損することがなくなる。
【図面の簡単な説明】
【００１０】
【図１】本発明の浴槽内浮遊垢取器の上面図である。
【図２】本発明の浴槽内浮遊垢取器の断面図である。説明は前回出願の特願２００８−１７２７９２による。
【図３】スクリューの上面図である。
【図４】吸込スクリューと一体になっている小型シロッコファンがモーターにより回転する図である。
【図５】フロースヰッチの外観図で、内部に浮力のある浮子が内蔵されている。
【図６】フロートスヰッチの断面図で、スヰッチとフロートの関係を示す
【符号の説明】
【００１１】１．スクリュー羽根
２．モーターシャフトの穴
３．スクリューと一体化したシロックコファン
４．シャフト
５．モーター
６．モーター密閉ケース
７．電池室
８．フロートスヰッチのケース
９．水出出入口
１０．電池
１１．電池用接点
１２．バネ式接点
１３．浮子